(57)【特許請求の範囲】
【請求項１】
被写体を撮影するための光学系と、
前記光学系を収容し、且つ、隣接する第１及び第２の面を有する筐体と、
前記筐体を立てるためのスタンドと、
前記スタンドが前記筐体の側面に重ね合わされた場合に、前記光学系の光軸が前記第１の面にほぼ直交する位置に前記光学系を配置させ、前記スタンドが前記筐体を保持できる位置に移動された場合に、前記光学系の光軸が前記第２の面にほぼ直交する位置に前記光学系を配置させる光学系位置制御部と
を備える撮影装置。
【請求項２】
フォーカスレンズを駆動させるフォーカス駆動部と、
前記フォーカス駆動部を制御する制御部と
を備え、
前記スタンドが前記筐体を保持可能な位置に移動した場合は、接写用のフォーカス制御を行う請求項１に記載の撮影装置。
【請求項３】
前記スタンドは、接写用の被写体を照明する照明部を有する
請求項１または２に記載の撮影装置。
【請求項４】
前記スタンドは、前記光学系を介して撮影された画像を表示できる透過型の液晶モニタを有し、
前記照明部は、前記液晶モニタが有する光源を利用して前記接写用の被写体を照明する
請求項３に記載の撮影装置。
【請求項５】
前記照明部は、前記液晶モニタの表示面と反対側の面に設けられ、前記光源の光を前記接写用の被写体へ向けて透過させる光透過部である
請求項４に記載の撮影装置。
【請求項６】
被写体を撮影するための光学系と、
前記光学系を収容する筐体と、
前記筐体を立てるためのスタンドと、
前記スタンドの前記筐体に対する開き角度が第１の角度になると、前記光学系の光軸と前記筐体とのなす角が実質的に前記第１の角度の半分の角度となるように前記光学系を配置させ、前記スタンドの前記筐体に対する開き角度が第２の角度になると、前記光学系の光軸と前記筐体とのなす角が実質的に１８０度となるように前記光学系を配置させる光学系位置制御部と
を備える撮影装置。
【請求項７】
フォーカスレンズを駆動させるフォーカス駆動部と、
前記フォーカス駆動部を制御する制御部と
を備え、
前記制御部は、
前記スタンドの前記筐体に対する開き角度が前記第１の角度になると、接写用のフォーカス制御を行う請求項６に記載の撮影装置。
【請求項８】
前記光学系位置制御部は、
前記スタンドの前記筐体に対する開き角度が０度になると、前記光学系の前面が前記筐体によって外部から遮蔽される位置に前記光学系を配置させる請求項６または７に記載の撮影装置。
【請求項９】
前記スタンドは、接写用の被写体を照明する照明部を有する
請求項６から８のいずれかに記載の撮影装置。
【請求項１０】
前記照明部は、前記スタンドに設けられており、前記接写用の被写体を撮影する接写時には白色画面となり、非接写時には、前記光学系を介して撮影された画像を表示する透過型の液晶モニタである
請求項９に記載の撮影装置。
【発明の詳細な説明】
【０００１】
【発明の属する技術分野】
本発明は、被写体を撮影する光学系の位置を移動させることができる撮影装置に関する。
【０００２】
【従来の技術】
一般に、撮影装置を用いての撮影は、撮影者が手でその撮影装置を保持しながら行われる。このために、従来の撮影装置の形状、及び、その筐体における撮影用の光学系の取付位置は、撮影装置を手で保持して撮影を行う場合に、撮影者による撮影装置の取り扱いがもっとも容易になるように決められる。
【０００３】
【発明が解決しようとする課題】
しかし、ときには、撮影装置をスタンドで保持しながら撮影を行う場合もある。この場合、従来の撮影装置では、スタンドと撮影用の光学系との位置関係が、必ずしも適切でない場合があった。
そこで本発明は、上記の課題を解決することのできる撮影装置を提供することを目的とする。この目的は特許請求の範囲における独立項に記載の特徴の組み合わせにより達成される。また従属項は本発明の更なる有利な具体例を規定する。
【０００４】
【課題を解決するための手段】
即ち、本発明の第１の形態によると、被写体を撮影するための光学系と、前記光学系を収容する筐体と、前記筐体を立てるためのスタンドと、前記筐体に対する前記スタンドの移動に連動して前記光学系の前記筐体における位置を移動させる光学系位置制御部とを備えることを特徴とする撮影装置が提供される。
【０００５】
上記撮影装置において、前記光学系位置制御部は、前記光学系を第１の撮影位置と、前記第１の撮影位置と異なる第２の撮影位置との間で前記光学系を移動させることが好ましい。また、前記スタンドは、接写用の被写体から前記筐体を一定の距離に保持可能であり、前記光学系位置制御部は、前記スタンドが前記筐体を保持可能な位置に移動した場合に、前記接写用の被写体を撮影できる位置へ前記光学系を移動させることが好ましい。
【０００６】
また、前記スタンドは、前記接写用の被写体を照明する照明部を有することが好ましい。この場合、前記スタンドは、前記光学系を介して撮影された画像を表示できる透過型の液晶モニタを有し、前記照明部は、前記液晶モニタが有する光源を利用して前記接写用の被写体を照明することが好ましい。この場合、さらに、前記照明部は、前記液晶モニタの表示面と反対側の面に設けられ、前記光源の光を前記接写用の被写体へ向けて透過させる光透過部であることが好ましい。あるいは、前記照明部は、前記スタンドに設けられており、前記接写用の被写体を撮影する接写時には白色画面となり、非接写時には、前記光学系を介して撮影された画像を表示する透過型の液晶モニタであってもよい。
【０００７】
一方、前記筐体は、隣接する第１及び第２の面を有し、前記光学系位置制御部は、前記光学系の光軸が、前記第１の面にほぼ直交する位置と、前記第２の面にほぼ直交する位置との間で前記光学系を移動させることであってもよい。
【０００８】
本発明の第２の形態によると、撮影用の光学系と、前記光学系を収容する筐体と、前記筐体を立てるためのスタンドと、前記筐体に対する前記スタンドの相対移動に連動して前記光学系の焦点距離を変更する焦点距離制御部とを備えることを特徴とする撮影装置が提供される。
【０００９】
上記撮像装置において、前記スタンドは、接写用の被写体から前記筐体を一定の距離に保持可能であり、前記焦点距離制御部は、前記スタンドが前記筐体を保持可能な位置に移動した場合に、前記光学系の焦点距離を前記接写用の被写体を撮影可能に変更することが好ましい。
なお上記の発明の概要は、本発明の必要な特徴の全てを列挙したものではなく、これらの特徴群のサブコンビネーションも又発明となりうる。
【００１０】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【００１１】
図１に、本発明に係る撮影装置の一実施形態であるデジタルカメラ１０の斜視図を示す。本実施形態のデジタルカメラ１０は、筐体１５０と、その筐体１５０に収容され、被写体を撮影するために利用される光学系２２とを備えている。また、デジタルカメラ１０は、筐体１５０を立てるためのスタンドを備えている。
【００１２】
本実施形態の場合、筐体１５０は２つのスタンド１５２及び１５６を備えている。２つのスタンド１５２及び１５６は、それぞれ、筐体１５０の側面１５０ａ及び１５０ｂに、ヒンジ１５４、１６４を介して取り付けられている。スタンド１５２及び１５６は、図１（ａ）に示すように、各々の側面に重なるように配置することもでき、また、図１（ｂ）に示すように、ヒンジ１５２，１６４回りに回転させて、筐体１５０の上方へ向けて開くこともできる。
【００１３】
スタンド１５２、１５６を筐体１５０の側面から開いた場合、デジタルカメラ１０は、図１（ｃ）に示すように、スタンド１５２、１５６を用いて倒立した姿勢に立てることができる。
【００１４】
図１（ｃ）に示す倒立姿勢では、デジタルカメラ１０を、例えば雑誌の切り抜き等、接写したい被写体１９０の上に立てることができる。このとき、スタンド１５２、１５６は、接写用の被写体１９０から筐体１５０及び光学系２２を一定の距離に保持する。
【００１５】
デジタルカメラ１０は、光学系２０を第１の撮影位置と第２の撮影位置との間で移動させる光学系移動部１３４を備えている。本実施形態において、第１の撮影位置は、第１の面１５０ｃの法線方向にある被写体の撮影が可能となる位置であり、光学系２２は第１の面１５０ｃに配置される。第２の撮影位置は、第１の面１５０ｃに隣接する第２の面１５０ｄの法線方向にある被写体の撮影が可能となる位置であり、光学系２２は、第２の面１５０ｄに配置される。
【００１６】
本実施形態において、スタンド１５２、１５６が筐体の側面１５０ａ、ｂに重ね合わさると、光学系移動部１３４が、光学系２２を第１の面１５０ａに配置する。本実施形態では、この状態でデジタルカメラ１０を手で保持しながらの通常の写真撮影、例えば、風景写真またはポートレート写真等の撮影を行える。
【００１７】
一方、スタンド１５２、１５６が筐体１５０を保持できる位置に移動された場合、光学系移動部１３４は、光学系２２を第２の面１５０ｂに配置する。この状態で、図１（ｃ）に示すように、スタンド１５２、１５６を用いてデジタルカメラ１０を立てると、光学系２２はスタンド１５２、１５６の下に配置された接写用の被写体１９０の方を向く。この結果、被写体１９０の接写が可能になる。
【００１８】
筐体１５０に備えられている２つスタンドの一方であるスタンド１５６は、透過型の液晶モニタ１０２を備えている。後述するように、本実施形態では、光学系２２を介して撮影された画像をこの液晶モニタ１０２に表示できる。また、スタンド１５６は、接写用の被写体１９０を照明できる照明部１５８及び１６０を備えている。
【００１９】
図２は、ヒンジ１６４に平行な面に沿ったスタンド１５６の断面図である。上述したように、スタンド１５６は、接写用の被写体１９０を照明する照明部１５８及び１６０を備えている。本実施形態の照明部１５８、１６０は、液晶モニタ１０２が有する光源１０２ａ、１０２ｃを利用して接写用の被写体１９０を照明する。光源１０２ａ、１０２ｃは、液晶モニタ１０２の導光板１０２ｂへ光を導入するいわゆるバックライトである。
【００２０】
本実施形態の場合、照明部１５６、１５８は、液晶モニタ１０２の表示面があるのと反対の面に設けられ、光源１０２ａ、１０２ｃの光を接写用の被写体１９０へ向けて透過させる、例えばシリンドリカルレンズ等の光透過部として実現されている。
【００２１】
図３は、本実施形態に係るデジタルカメラ１０の構成の概要を説明するブロック図である。
デジタルカメラ１０は、光学系２２を含み、光学系２２を利用して被写体の画像を撮像する撮像ユニット２０を備える。また、デジタルカメラ１０は、筐体１５０に対するスタンド１５６の移動に連動して光学系２２の筐体１５０における位置を移動させる光学系位置制御部１７０を備える。本実施形態の場合、光学系位置制御部１７０は、光学系移動部１３４、デジタルカメラ１０の全体の動作を制御するメインＣＰＵ６２、及び、筐体１５０に対するスタンド１５６の位置を検出するスタンド位置検出部１３２から構成される。
【００２２】
光学系位置制御部１７０では、メインＣＰＵ６２が、スタンド位置検出部１３２の出力に基づいて、スタンド１５６の位置を判断する。具体的には、メインＣＰＵ６２は、スタンド１５６が筐体の側面１５０ｂに重ね合わせられている位置（以下、「閉じた位置」という）にあるか、それとも、側面１５０ｂから筐体１５０の上方へ向けて開かれた位置（以下、「開かれた位置」という）にあるかを判断する。
【００２３】
スタンド１５６が閉じた位置にある場合、メインＣＰＵ６２は、光学系移動部１３４へ制御信号を送信し、光学系移動部１３４に、光学系２２が第１の撮影位置に配置されるように撮像ユニット２０を移動させる。一方、スタンド１５６が開いた位置にある場合、メインＣＰＵ６２は、光学系移動部１３４へ制御信号を送信し、光学系移動部１３４に、光学系２２が第２の撮影位置に配置されるように撮像ユニット２０を移動させる。
【００２４】
デジタルカメラ１０は、さらに、筐体１５０に対するスタンド１５６の相対移動に連動して光学系２２の焦点距離を変更する焦点距離制御部１７２を備える。焦点距離制御部１７２は、メインＣＰＵ６２と、スタンド位置検出部１３２とを含む。さらに、焦点距離制御部１７２は、光学系２２のフォーカスレンズを駆動して焦点距離を調節するフォーカス駆動部４４、フォーカス駆動部４４を制御する撮像系ＣＰＵ５０、及び、被写体までの距離を測定する測距センサ５２を含む。
【００２５】
焦点距離制御部１７２では、スタンド１５６が閉じた位置にあると、撮像系ＣＰＵ５０が測距センサ５２の出力に基づいてフォーカス駆動部４４を制御し、いわゆるピント合わせを行う。一方、スタンド１５６が開いた位置に移動すると、メインＣＰＵ６２が撮像系ＣＰＵ５０へ光学系２２の焦点距離を接写用の焦点距離に設定すべき旨の制御信号を出力する。この結果、撮像系ＣＰＵ５０は、フォーカス駆動部４４を制御して、光学系２２の焦点距離を接写用の焦点距離に調節する。ここで、接写用の焦点距離とは、図１（ｃ）で示したように、デジタルカメラ１０をスタンド１５２、１５６を用いて立てた場合に、スタンドの下に配置された被写体１９０を撮影するのに適した焦点距離をいう。
【００２６】
図４に、本実施形態のデジタルカメラ１０の詳細な構成を示す。デジタルカメラ１０は、主に撮像ユニット２０、撮像補助ユニット３８、撮像制御ユニット４０、処理ユニット６０、表示ユニット１００、操作ユニット１１０、及び接写ユニットを含む。
【００２７】
撮像ユニット２０は、撮影および結像に関する機構部材および電気部材を含む。撮像ユニット２０はまず、映像を取り込んで処理を施す光学系２２、絞り２４、シャッタ２６、光学ＬＰＦ（ローパスフィルタ）２８、ＣＣＤ３０、および撮像信号処理部３２を含む。光学系２２は、フォーカスレンズやズームレンズ等からなる。この構成により、被写体像がＣＣＤ３０の受光面上に結像する。結像した被写体像の光量に応じ、ＣＣＤ３０の各センサエレメント（図示せず）に電荷が蓄積される（以下その電荷を「蓄積電荷」という）。蓄積電荷は、リードゲートパルスによってシフトレジスタ（図示せず）に読み出され、レジスタ転送パルスによって電圧信号として順次読み出される。
【００２８】
デジタルカメラ１０は一般に電子シャッタ機能を有するので、シャッタ２６のような機械式シャッタは必須ではない。電子シャッタ機能を実現するために、ＣＣＤ３０にシャッタゲートを介してシャッタドレインが設けられる。シャッタゲートを駆動すると蓄積電荷がシャッタドレインに掃き出される。シャッタゲートの制御により、各センサエレメントに電荷を蓄積するための時間、すなわちシャッタスピードが制御できる。
【００２９】
ＣＣＤ３０から出力される電圧信号、すなわちアナログ信号は撮像信号処理部３２でＲ、Ｇ、Ｂ成分に色分解され、まずホワイトバランスが調整される。つづいて撮像信号処理部３２はガンマ補正を行い、必要なタイミングでＲ、Ｇ、Ｂ信号を順次Ａ／Ｄ変換し、その結果得られたデジタルの画像データ（以下単に「デジタル画像データ」とよぶ）を処理ユニット６０へ出力する。
【００３０】
撮像補助ユニット２０は、ファインダ３４とストロボ３６を有する。ファインダ３４には図示しないＬＣＤを内装してもよく、その場合、後述のメインＣＰＵ６２等からの各種情報をファインダ３４内に表示できる。ストロボ３６は、コンデンサ（図示せず）に蓄えられたエネルギが放電管３６ａに供給されたときそれが発光することで機能する。
【００３１】
撮像制御ユニット４０は、ズーム駆動部４２、フォーカス駆動部４４、絞り駆動部４６、シャッタ駆動部４８、それらを制御する撮像系ＣＰＵ５０、測距センサ５２、および測光センサ５４をもつ。ズーム駆動部４２などの駆動部は、それぞれステッピングモータ等の駆動手段を有する。後述のレリーズスイッチ１１４の押下に応じ、測距センサ５２は被写体までの距離を測定し、測光センサ５４は被写体輝度を測定する。測定された距離のデータ（以下単に「測距データ」という）および被写体輝度のデータ（以下単に「測光データ」という）は撮像系ＣＰＵ５０へ送られる。撮像系ＣＰＵ５０は、ユーザから指示されたズーム倍率等の撮影情報に基づき、ズーム駆動部４２とフォーカス駆動部４４を制御して光学系２２のズーム倍率とピントの調整を行う。また、図３において説明したように、撮像系ＣＰＵ５０は、スタンド１５６が筐体１５０から開かれた場合に、メインＣＰＵ６２からの制御信号に基づいて、光学系２２の焦点距離を接写用の焦点距離に固定する。
【００３２】
撮像系ＣＰＵ５０は、１画像フレームのＲＧＢのデジタル信号積算値、すなわちＡＥ情報に基づいて絞り値とシャッタスピードを決定する。決定された値にしたがい、絞り駆動部４６とシャッタ駆動部４８がそれぞれ絞り量の調整とシャッタ２６の開閉を行う。
【００３３】
撮像系ＣＰＵ５０はまた、測光データに基づいてストロボ３６の発光を制御し、同時に絞り２４の絞り量を調整する。ユーザが映像の取込を指示したとき、ＣＣＤ３０が電荷蓄積を開始し、測光データから計算されたシャッタ時間の経過後、蓄積電荷が撮像信号処理部３２へ出力される。
【００３４】
処理ユニット６０は、デジタルカメラ１０全体、とくに処理ユニット６０自身を制御するメインＣＰＵ６２と、これによって制御されるメモリ制御部６４、ＹＣ処理部７０、オプション装置制御部７４、圧縮伸張処理部７８、通信Ｉ／Ｆ部８０を有する。メインＣＰＵ６２は、シリアル通信などにより、撮像系ＣＰＵ５０との間で必要な情報をやりとりする。メインＣＰＵ６２の動作クロックは、クロック発生器８８から与えられる。クロック発生器８８は、撮像系ＣＰＵ５０、表示ユニット１００に対してもそれぞれ異なる周波数のクロックを提供する。
【００３５】
メインＣＰＵ６２には、キャラクタ生成部８４とタイマ８６が併設されている。タイマ８６は電池でバックアップされ、つねに日時をカウントしている。このカウント値から撮影日時に関する情報、その他の時刻情報がメインＣＰＵ６２に与えられる。キャラクタ生成部８４は、撮影日時、タイトル等の文字情報を発生し、この文字情報が適宜撮影画像に合成される。
【００３６】
メモリ制御部６４は、不揮発性メモリ６６とメインメモリ６８を制御する。不揮発性メモリ６６は、ＥＥＰＲＯＭ（電気的消去およびプログラム可能なＲＯＭ）やＦＬＡＳＨメモリなどで構成され、ユーザーによる設定情報や出荷時の調整値など、デジタルカメラ１０の電源がオフの間も保持すべきデータが格納されている。不揮発性メモリ６６には、場合によりメインＣＰＵ６２のブートプログラムやシステムプログラムなどが格納されてもよい。一方、メインメモリ６８は一般にＤＲＡＭのように比較的安価で容量の大きなメモリで構成される。メインメモリ６８は、撮像ユニット２０から出力されたデータを格納するフレームメモリとしての機能、各種プログラムをロードするシステムメモリとしての機能、その他ワークエリアとしての機能をもつ。不揮発性メモリ６６とメインメモリ６８は、処理ユニット６０内外の各部とメインバス８２を介してデータのやりとりを行う。
【００３７】
ＹＣ処理部７０は、デジタル画像データにＹＣ変換を施し、輝度信号Ｙと色差（クロマ）信号Ｂ−Ｙ、Ｒ−Ｙを生成する。輝度信号と色差信号はメモリ制御部６４によってメインメモリ６８に一旦格納される。圧縮伸張処理部７８はメインメモリ６８から順次輝度信号と色差信号を読み出して圧縮する。こうして圧縮されたデータ（以下単に「圧縮データ」という）は、オプション装置制御部７４を介してオプション装置７６の一種であるメモリカードへ書き込まれる。
【００３８】
処理ユニット６０はさらにエンコーダ７２をもつ。エンコーダ７２は輝度信号と色差信号を入力し、これらをビデオ信号（ＮＴＳＣやＰＡＬ信号）に変換してビデオ出力端子９０から出力する。オプション装置７６に記録されたデータからビデオ信号を生成する場合、そのデータはまずオプション装置制御部７４を介して圧縮伸張処理部７８へ与えられる。つづいて、圧縮伸張処理部７８で必要な伸張処理が施されたデータはエンコーダ７２によってビデオ信号へ変換される。
【００３９】
オプション装置制御部７４は、オプション装置７６に認められる信号仕様およびメインバス８２のバス仕様にしたがい、メインバス８２とオプション装置７６の間で必要な信号の生成、論理変換、または電圧変換などを行う。デジタルカメラ１０は、オプション装置７６として前述のメモリカードのほかに、例えばＰＣＭＣＩＡ準拠の標準的なＩ／Ｏカードをサポートしてもよい。その場合、オプション装置制御部７４は、ＰＣＭＣＩＡ用バス制御ＬＳＩなどで構成してもよい。
【００４０】
通信Ｉ／Ｆ部８０は、デジタルカメラ１０がサポートする通信仕様、たとえばＵＳＢ、ＲＳ−２３２Ｃ、イーサネットなどの仕様に応じたプロトコル変換等の制御を行う。通信Ｉ／Ｆ部８０は、必要に応じてドライバＩＣを含み、ネットワークを含む外部機器とコネクタ９２を介して通信する。そうした標準的な仕様のほかに、例えばプリンタ、カラオケ機、ゲーム機等の外部機器との間で独自のＩ／Ｆによるデータ授受を行う構成としてもよい。
【００４１】
表示ユニット１００は、液晶モニタ１０２とＬＣＤパネル１０４を有する。それらはＬＣＤドライバであるモニタドライバ１０６、パネルドライバ１０８によってそれぞれ制御される。液晶モニタ１０２は、例えば２インチ程度の大きさでカメラ背面に設けられ、現在の撮影や再生のモード、撮影や再生のズーム倍率、電池残量、日時、モード設定のための画面、被写体画像などを表示する。ＬＣＤパネル１０４は例えば小さな白黒ＬＣＤでカメラ上面に設けられ、画質（ＦＩＮＥ／ＮＯＲＭＡＬ／ＢＡＳＩＣなど）、ストロボ発光／発光禁止、標準撮影可能枚数、画素数、電池容量などの情報を簡易的に表示する。
【００４２】
本実施形態の場合、表示ユニット１００は、さらに照明部１５６，１５８を含む。先に説明したように、本実施形態の照明部１５６、１５８は、液晶モニタ１０２の光源を利用して照明を行うからである。なお、照明部１５６，１５８は、独自の光源を有する、液晶モニタ１０２から独立した構成要素としてデジタルカメラ１０に備えてもよい。
【００４３】
操作ユニット１１０は、ユーザーがデジタルカメラ１０の動作やそのモードなどを設定または指示するために必要な機構および電気部材を含む。パワースイッチ１１２は、デジタルカメラ１０の電源のオンオフを決める。レリーズスイッチ１１４は、半押しと全押しの二段階押し込み構造になっている。一例として、半押しでＡＦおよびＡＥがロックし、全押しで撮影画像の取込が行われ、必要な信号処理、データ圧縮等の後、メインメモリ６８、オプション装置７６等に記録される。操作ユニット１１０はこれらのスイッチの他、回転式のモードダイヤルや十字キーなどによる設定を受け付けてもよく、それらは図１において機能設定部１１６と総称されている。操作ユニット１１０で指定できる動作または機能の例として、「ファイルフォーマット」、「特殊効果」、「印画」、「決定／保存」、「表示切換」等がある。ズームスイッチ１１８は、ズーム倍率を決める。
【００４４】
接写ユニット１３０は、スタンド位置検出部１３２、及び光学系移動部１３４を含む。スタンド位置検出部１３２は、既に説明したように、筐体１５０に対するスタンドの位置を検出し、その検出結果をメインＣＰＵ６２に対し出力する。一方、光学系移動部１３４は、ＣＰＵ６２に制御されて、撮像ユニット２０を第１の撮影位置と第２の撮影位置との間で移動させる。
【００４５】
以上の構成による主な動作は以下のとおりである。
まずデジタルカメラ１０のパワースイッチ１１２がオンされ、カメラ各部に電力が供給される。メインＣＰＵ６２は、機能設定部１１６の状態を読み込むことで、デジタルカメラ１０が撮影モードにあるか再生モードにあるかを判断する。
【００４６】
カメラが撮影モードにあるとき、メインＣＰＵ６２は、スタンド位置検出部１３２の出力からスタンドの位置を検出する。スタンドが閉じた位置にある場合、ＣＰＵ６２は、光学系移動部１３４を利用して撮像ユニット２０を第１の撮影位置へ移動させる。
【００４７】
一方、スタンドが開いた位置にある場合、メインＣＰＵ６２は、撮像ユニット２０を第２の撮影位置へ移動させる。また、メインＣＰＵ６２は、撮像系ＣＰＵ５０に制御信号を出力し、制御系ＣＰＵ５０に光学系５０の焦点距離を接写用の焦点距離に固定させる。
【００４８】
次に、メインＣＰＵ６２はレリーズスイッチ１１４の半押し状態を監視する。スタンドが閉じた位置にある場合、メインＣＰＵ６２は、半押し状態を検出すると、測光センサ５４および測距センサ５２からそれぞれ測光データと測距データを得る。得られたデータに基づいて撮像制御ユニット４０が動作し、光学系２２のピント、絞りなどの調整が行われる。
【００４９】
一方、スタンドが開いた位置にある場合、メインＣＰＵ６２は、半押し状態を検出すると、測光センサ５４のみから測光データを得る。そして、撮像制御ユニット４０は、光学系２２の絞りのみを調整する。
【００５０】
調整が完了すると、ＬＣＤモニタ１０２に「スタンバイ」などの文字を表示してユーザーにその旨を伝え、つづいてレリーズスイッチ１１４の全押し状態を監視する。レリーズスイッチ１１４が全押しされると、所定のシャッタ時間をおいてシャッタ２６が閉じられ、ＣＣＤ３０の蓄積電荷が撮像信号処理部３２へ掃き出される。撮像信号処理部３２による処理の結果生成されたデジタル画像データはメインバス８２へ出力される。デジタル画像データは一旦メインメモリ６８へ格納され、この後ＹＣ処理部７０と圧縮伸張処理部７８で処理を受け、オプション装置制御部７４を経由してオプション装置７６へ記録される。記録された画像は、フリーズされた状態でしばらくＬＣＤモニタ１０２に表示され、ユーザーは撮影画像を知ることができる。以上で一連の撮影動作が完了する。
【００５１】
一方、デジタルカメラ１０が再生モードの場合、メインＣＰＵ６２は、メモリ制御部６４を介してメインメモリ６８から最後に撮影した画像を読み出し、これを表示ユニット１００のＬＣＤモニタ１０２へ表示する。この状態でユーザーが機能設定部１１６にて「順送り」、「逆送り」を指示すると、現在表示している画像の前後に撮影された画像が読み出され、ＬＣＤモニタ１０２へ表示される。
【００５２】
以上説明したように、本実施形態のデジタルカメラ１０によれば、スタンド１５２及び１５６が筐体１５０に重ね合わせられた位置にあると、光学系位置制御部１７０が光学系２２を第１の撮影位置へ移動させ、通常の撮影を実行可能にする。一方、スタンド１５２、１５６が筐体１５０から情報へ開かれたときには、光学系位置制御部１７０が光学系２２を接写が可能な位置へ移動させる。また、焦点距離制御部１７２が光学系２２の焦点距離を接写が可能な焦点距離に調節する。このために、スタンド１５２、１５６を用いてデジタルカメラ１０を被写体の上に立てると、直ちにその被写体の接写が行えるようになる。
【００５３】
図５は、本発明に係る撮影装置の他の実施形態であるデジタルカメラ２００を示す斜視図である。デジタルカメラ２００は、筐体及びスタンドの形態、及び、その筐体における撮像ユニット２０の設置方法がデジタルカメラ１０と異なる。また、デジタルカメラ２００は、液晶モニタ１０２を照明部１５６，１５８として用いる点でデジタルカメラ１０と異なる。他の点では、デジタルカメラ２００は、デジタルカメラ１０と同様である。そこで、以下に、デジタルカメラ２００がデジタルカメラ１０と異なる点についてのみ説明する。なお、デジタルカメラ１０で既に説明した構成要素と同じ構成要素については、同じ符号を付すことにより、その詳細な説明を省略する。
【００５４】
デジタルカメラ２００は、筐体２０２と、その筐体の上面に重ね合わせることができるスタンド２０４とを有する。筐体２０２とスタンド２０４とは、それぞれの端部においてヒンジ機構２０６により連結されている。したがって、デジタルカメラ２００は、スタンド２０４を、図５（ａ）に示す筐体２０２の上に重ね合わせた状態から、図５（ｂ）、（ｃ）又は（ｄ）に示す、筐体２０２から開かれた状態にすることができる。スタンド２０４は、筐体２０２から開かれた状態では、筐体２０２を斜めに立てかけるのに利用される。
【００５５】
スタンド２０４の筐体２０２の方を向いた面には、液晶モニタ１０２が備えられている。また、ヒンジ機構２０６には、スタンド２０４の他に、撮像ユニット２０が回転可能に取り付けられている。
【００５６】
デジタルカメラ２００では、デジタルカメラ１０と同様に、通常の撮影と、接写とが可能となる。通常の撮影を行うか、接写を行うかは、スタンド２０４の開き角で決まる。スタンド２０４は、第１の角度αと、αと異なる第２の角度βの２段階に開くことができる。スタンド２０４が第１の角度αに開かれたときに接写が可能となり、第２の角度βに開かれたときに通常の撮影が可能となる。
【００５７】
デジタルカメラ２００では、スタンド位置検出部１３２が、スタンド２０４の筐体２０２に対する開き角を検出する。スタンド位置検出部１３２が、第１の角度αを検出すると、メインＣＰＵ６２が光学系移動部１３４を利用して、光学系２２の光軸と筐体２０２とのなす角度が実質的にα／２となるように、撮像ユニット２０の位置を制御する。同時に、撮像系ＣＰＵ５０がフォーカス駆動部４４を制御して、光学系２２の焦点距離を接写用の焦点距離に調節する。また、メインＣＰＵ６２は、液晶モニタ１０２に白色画面を表示させる。この状態で、図５（ｂ）に示すように、筐体２０２及びスタンド２０４の自由端でデジタルカメラ２００を立てると、撮像ユニット２０は、デジタルカメラ２００の下に置かれた被写体１９０へ向き、また、白色画面を表示する液晶モニタ１０２がその被写体１９０を照明する。この結果、直ちに被写体１９０の接写が行える。
【００５８】
一方、スタンド位置検出部１３２が、スタンド２０４の開き角として第２の角度βを検出すると、メインＣＰＵ６２は、光学系２２の光軸と筐体２０２とのなす角が実質的に１８０°となるように、撮像ユニット２０の位置を制御する。一方、撮像系ＣＰＵ５０は、測距センサ５２の出力に基づいて光学系２２の焦点距離を調節する。図５（ｃ）は、このときのデジタルカメラ２００の外観を示す斜視図である。また、図５（ｄ）は、図５（ｃ）のデジタルカメラ２００を反対側から見た外観を示す斜視図である。図示の状態において、デジタルカメラ２００は、光学系２２を任意の被写体の方へ向けることにより、通常の撮影を行える。
【００５９】
最後に、スタンド１３２が、スタンド２０４の開き角として約０°、すなわち、スタンド２０４が筐体２０２に重ね合わせられている状態を検出した場合、メインＣＰＵ６２は、光学系移動部１３４を制御して、光学系２２の前面が筐体１５０によって外部から遮蔽される位置へ撮像ユニット２０を移動させる。これにより、デジタルカメラ２００の非使用時に、光学系２２が外部から損傷を受けることが防止できる。
【００６０】
以上、本発明を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、特許請求の範囲の記載から明らかである。
【００６１】
【発明の効果】
上記説明から明らかなように、本発明によればスタンドを用いて良好な撮影ができる撮影装置が提供される。
【図面の簡単な説明】
【図１】本発明に係る撮影装置の一実施形態であるデジタルカメラ１０の斜視図を示す。
【図２】ヒンジ１６４に平行な面に沿ったスタンド１５６の断面図である。
【図３】デジタルカメラ１０の構成の概要を説明するブロック図である。
【図４】デジタルカメラ１０の詳細な構成を示す
【図５】本発明に係る撮影装置の他の実施形態であるデジタルカメラ２００を示す斜視図である。
【符号の説明】
１０  デジタルカメラ
２０  撮像ユニット
２２  光学系
４０  撮像制御ユニット
４４  フォーカス駆動部
５０  撮像系ＣＰＵ
５２  測距センサ
６０  処理ユニット
６２  メインＣＰＵ
６８  メインメモリ
１００  表示ユニット
１０２  液晶モニタ
１１０  操作ユニット
１１６  機能設定部
１３４  光学系移動部
１５０  筐体
１５２、１５６  スタンド
１５８、１６０  照明部（光透過部）
１７０  光学系位置制御部
１７２  焦点距離制御部
【図１】
0004180234.tif 000002
【図２】
0004180234.tif 000003
【図３】
0004180234.tif 000004
【図４】
0004180234.tif 000005
【図５】
0004180234.tif 000006